(57)【要約】【課題】複数の受光素子が複数の発光素子から送信された光信号を混在した状態で受信した場合であっても、複数の受光素子では、それぞれの光信号を識別することによって、パラレル伝送で得られる高効率伝送を実現する光ワイヤレス通信装置を提供する。【解決手段】本発明の光ワイヤレス通信装置は、送信機は、受信機から送信されたフィードバック信号に基づいて、送信する光信号の信号強度を調整する。受信機は、複数の光信号を受信し、送信機から送信された光信号パターンに対応する受信機が受信する受信レベルを示す信号点配置情報を生成し、複数の光信号を変換した複数の受信電気信号の和を受信信号として、信号点配置情報に基づいて、受信信号から、送信機から送信された光信号パターンを識別する。さらに、信号点配置情報に基づいて、フィードバック信号を送信する。【選択図】図１
2011135206.tif 000002
【特許請求の範囲】
【請求項１】
送信機と受信機との間を複数の光信号を用いてデータ通信する光ワイヤレス通信装置であって、
前記送信機は、
複数の送信電気信号を光信号に変換し、前記複数の光信号をそれぞれ送信する複数の光送信部と、
前記複数の送信電気信号を調整することを示すフィードバック信号を前記受信機から受信し、当該フィードバック信号に基づいて送信信号制御情報を生成するフィードバック受信部と、
前記送信信号制御情報に基づいて、前記複数の送信電気信号を調整する送信信号制御部とを備え、
前記受信機は、
前記複数の光信号を受信し、前記複数の光信号を受信電気信号にそれぞれ変換する複数の光受信部と、
前記複数の光受信部によって変換された複数の受信電気信号に基づいて、前記複数の光送信部から送信された光信号パターンに対応する前記複数の光受信部の受信レベルを示す信号点配置情報を生成する受信信号解析部と、
前記信号点配置情報に基づいて、前記フィードバック信号を生成し、当該生成したフィードバック信号を送信するフィードバック送信部と、
前記複数の受信電気信号の和を受信信号として、前記信号点配置情報に基づいて、前記受信信号から、前記複数の光送信部から送信された光信号パターンを識別する受信信号制御部とを備える、光ワイヤレス通信装置。
【請求項２】
前記フィードバック信号は、前記受信信号から、前記複数の光送信部から送信された光信号パターンが識別可能となるように、前記複数の送信電気信号の信号強度を調整することを示す情報を含み、
前記送信信号制御部は、前記複数の送信電気信号の信号強度を調整する送信信号強度調整部を含むことを特徴とする、請求項１に記載の光ワイヤレス通信装置。
【請求項３】
前記フィードバック信号は、前記複数の送信電気信号のうち、いずれかまたはすべてを同一信号とするか、または異なる信号とするかを示す情報を含み、
前記送信信号制御部は、前記複数の送信電気信号のうち、いずれかまたはすべてを同一信号するか、または異なる信号とするかを選定する送信信号選定部を含むことを特徴とする、請求項１に記載の光ワイヤレス通信装置。
【請求項４】
前記受信信号解析部は、前記複数の光受信部によって変換された複数の受信電気信号に基づいて、前記複数の受信電気信号をそのまま出力するか、または前記複数の受信電気信号の和を受信信号として出力するかを示す受信信号切替情報を生成し、
前記受信信号制御部は、
前記受信信号切替情報に基づいて、前記複数の受信電気信号をそのまま出力するか、または前記複数の受信電気信号の和を受信信号として出力する受信信号切替部と、
前記信号点配置情報に基づいて、前記受信信号切替部から出力された前記複数の受信電気信号または前記受信信号から、前記複数の光送信部から送信された複数の光信号を識別する受信信号識別部とを含むことを特徴とする、請求項１に記載の光ワイヤレス通信装置。
【請求項５】
送信機の複数の光送信部から送信される複数の光信号を受信する受信機であって、
前記送信機の複数の光送信部から送信される複数の光信号を受信し、前記複数の光信号を受信電気信号にそれぞれ変換する複数の光受信部と、
前記複数の光受信部によって変換された複数の受信電気信号に基づいて、前記送信機の複数の光送信部から送信された光信号パターンに対応する前記複数の光受信部の受信レベルを示す信号点配置情報を生成する受信信号解析部と、
前記信号点配置情報に基づいて、前記送信機の複数の光送信部から送信される複数の光信号を調整することを示すフィードバック信号を生成し、当該生成したフィードバック信号を送信するフィードバック送信部と、
前記複数の受信電気信号の和を受信信号として、前記信号点配置情報に基づいて、前記受信信号から、前記送信機の複数の光送信部から送信された光信号パターンを識別する受信信号制御部とを備える、受信機。
【請求項６】
送信機の複数の光送信部から送信される複数の光信号を複数の光受信部によって受信する受信機によって実行される受信方法であって、
前記送信機の複数の光送信部から送信される複数の光信号を前記複数の光受信部で受信し、前記複数の光信号を受信電気信号にそれぞれ変換する光受信ステップと、
前記光受信ステップにおいて変換された複数の受信電気信号に基づいて、前記送信機の複数の光送信部から送信された光信号パターンに対する前記複数の光受信部の受信レベルを示す信号点配置情報を生成する受信信号解析ステップと、
前記信号点配置情報に基づいて、前記送信機の複数の光送信部から送信される複数の光信号を調整することを示すフィードバック信号を生成し、当該生成したフィードバック信号を送信するフィードバック送信ステップと、
前記複数の受信電気信号の和を受信信号として、前記信号点配置情報に基づいて、前記受信信号から、前記送信機の複数の光送信部から送信された光信号パターンを識別する受信信号制御ステップとを含む、受信方法。
【発明の詳細な説明】
【技術分野】
【０００１】
本発明は、赤外線もしくは可視光を用いてワイヤレス通信を行う光ワイヤレス通信装置に関し、より特定的には、パラレル伝送を用いて高効率伝送を行う光ワイヤレス通信装置に関する。
【背景技術】
【０００２】
従来のワイヤレス通信の１つの方式としては、光を用いた光ワイヤレス通信方式が知られている。光ワイヤレス通信方式は、平行光を用いた方式と、拡散光を用いた方式とに大きく分けることができる。
【０００３】
このうち、平行光を用いた方式は、レーザから出力されたビームを平行光として用いるもので、主にビル間通信等に用いられる。平行光を用いた方式の特徴としては、光の拡がりによる損失がないため比較的長距離の伝送が可能であるが、複雑な光軸調整が必要という問題がある。
【０００４】
一方、拡散光を用いた方式は、発光ダイオード（ＬＥＤ：Ｌｉｇｈｔ  Ｅｍｉｔｔｉｎｇ  Ｄｉｏｄｅ）やレーザと、拡散板等とを用いるものである。拡散光を用いた方式は、平行光を用いる方式と比較して、光軸と直交する方向の受信範囲を広くできるため、複雑な光軸調整が不要という利点がある。その一方で、拡散光を用いた方式は、光の拡散による損失（距離の２乗に比例）が原因で、伝送距離が比較的短距離に制限される。拡散光を用いた方式の適用例としては、赤外線を用いたデータ通信（ＩｒＤＡ：  Ｉｎｆｒａｒｅｄ  Ｄａｔａ  Ａｓｓｏｃｉａｔｉｏｎ）や照明光を用いた可視光通信などがある。
【０００５】
ところで、光ワイヤレス通信において伝送速度を高速化する場合、発光素子および受光素子は、高速のものを用いる必要がある。しかし、受光素子は、一般的に、高速化するほど素子面積が小さくなるという性質がある。光ワイヤレス通信において、受光素子の面積が小さくなると、受光素子に入射する単位面積あたりの光電力（入射照度）が同じ場合、受光電力が小さくなる。よって、伝送速度が低速の場合（即ち受光素子が大きい場合）と同等の受光電力を確保するためには、受光素子に入射する入射照度を大きくする必要があるため、拡散光を用いた方式の場合、高速化するほど伝送可能な距離は小さくなる。
【０００６】
そこで、送信器での指向角を小さくすることによって、受信器の受光素子に入射する入射照度を大きくすることも可能であるが、この場合、光軸と直交する方向の受信範囲が制限され、拡散光を用いる利点が損なわれる。このように、拡散光を用いた方式では、伝送速度、伝送距離、および受信範囲が互いにトレードオフの関係にある。
【０００７】
これに対応する１つの方法として、発光素子と受光素子とを複数用意し、パラレル伝送を行う方法がある。パラレル伝送を行うと、１チャンネルあたりの伝送速度を抑えられるため、受光素子の面積を大きくすることができる。このため、拡散光を用いた方式での伝送距離の制限を緩和できる。しかし、拡散光を用いた方式の場合、伝送距離が大きくなると、送信器の複数の発光素子から送信される光信号が混在し、受信器では、受光素子で受信した各光信号を識別できず、送信器（発光素子）から送信された情報を正しく再生できなくなるという問題がある。
【０００８】
この問題に対する従来の対処方法の一例としては、特許文献１に示されているものがあった。図１０は、従来の光ワイヤレス通信装置９００を示す図である。図１０において、光ワイヤレス通信装置９００は、複数の発光ユニット（光送信器）９０１および９０２は、個別に対応付けられた複数の情報端末９０３および９０４に情報を伝送する場合を想定している。情報端末９０３および９０４はそれぞれ受光部９０５および９０６を有している。
【０００９】
図１１は、第１の発光ユニット９０１および第２の発光ユニット９０２が送信するデータの情報フォーマット９５０を示す図である。図１１において、情報フォーマット９５０は、ヘッダ部９５１と、共通情報部９５２と、固有情報部９５３と、誤り検出部９５４とが時系列的に並べられた構成である。ヘッダ部９５１には、所要のヘッダ情報が格納される。共通情報部９５２には、第１の発光ユニット９０１および第２の発光ユニット９０２に共通する情報が格納される。固有情報部９５３には、第１の発光ユニット９０１と第２の発光ユニット９０２とのそれぞれ異なる固有の情報が格納される。誤り検出部９５４には、誤り検出情報が格納される。誤り検出情報とは、例えば、伝送路上の雑音や混信等の影響によって、情報フォーマット９５０の一部のデータが壊れていないかを検出するための付加情報である。
【００１０】
第１の情報端末９０３および第２の情報端末９０４は、第１の発光ユニット９０１および第２の発光ユニット９０２のうち、いずれか一方の発光ユニットから送信された光信号のみを受信した場合、共通情報部９５２および固有情報部９５３の両方の情報を正しく受信できる。一方、第１の情報端末９０３および第２の情報端末９０４は、第１の発光ユニット９０１および第２の発光ユニット９０２から送信された光信号を混在した状態で受信した場合、それぞれの固有情報部９５３の情報は正しく受信できないが、それぞれの共通情報部９５２の情報は共通であるため正しく受信できる。このように、第１の発光ユニット９０１および第２の発光ユニット９０２から送信された光信号が混在した状態であっても、第１の情報端末９０３または第２の情報端末９０４は、それぞれの共通情報部９５２の情報は正しく受信することができる。
【先行技術文献】
【特許文献】
【００１１】
【特許文献１】特開２００９−１２４５３３号公報
【発明の概要】
【発明が解決しようとする課題】
【００１２】
しかしながら、従来の光ワイヤレス通信装置９００では、第１の発光ユニット９０１および第２の発光ユニット９０２から送信された光信号が混在した場合は、それぞれの固有情報部９５３に含まれる情報は全て失われてしまい、それぞれの共通情報部に含まれる情報しか伝送できていない。つまり、従来の光ワイヤレス通信装置９００では、パラレル伝送を用いているにも拘らず、１チャンネルのみで伝送した場合よりも伝送効率が低下するという問題がある。
【００１３】
それ故に、本発明の目的は、上述した従来の課題を解決するものであって、複数の発光素子および複数の受光素子を用いた光ワイヤレス通信装置において、複数の受光素子が複数の発光素子から送信された光信号を混在した状態で受信した場合であっても、複数の受光素子では、それぞれの光信号を識別することによって、パラレル伝送で得られる高効率伝送を実現する光ワイヤレス通信装置を提供することである。
【課題を解決するための手段】
【００１４】
上記目的を達成するために、本発明の光ワイヤレス通信装置は、送信機と受信機との間を複数の光信号を用いてデータ通信する光ワイヤレス通信装置であって、送信機は、複数の送信電気信号を光信号に変換し、複数の光信号をそれぞれ送信する複数の光送信部と、複数の送信電気信号を調整することを示すフィードバック信号を受信機から受信し、当該フィードバック信号に基づいて送信信号制御情報を生成するフィードバック受信部と、送信信号制御情報に基づいて、複数の送信電気信号を調整する送信信号制御部とを備え、受信機は、複数の光信号を受信し、複数の光信号を受信電気信号にそれぞれ変換する複数の光受信部と、複数の光受信部によって変換された複数の受信電気信号に基づいて、複数の光送信部から送信された光信号パターンに対応する複数の光受信部の受信レベルを示す信号点配置情報を生成する受信信号解析部と、信号点配置情報に基づいて、フィードバック信号を生成し、当該生成したフィードバック信号を送信するフィードバック送信部と、複数の受信電気信号の和を受信信号として、信号点配置情報に基づいて、受信信号から、複数の光送信部から送信された光信号パターンを識別する受信信号制御部とを備える。
【００１５】
好ましいフィードバック信号は、受信信号から、複数の光送信部から送信された光信号パターンが識別可能となるように、複数の送信電気信号の信号強度を調整することを示す情報を含み、送信信号制御部は、複数の送信電気信号の信号強度を調整する送信信号強度調整部を含むことを特徴とする。
【００１６】
さらに、好ましいフィードバック信号は、複数の送信電気信号のうち、いずれかまたはすべてを同一信号とするか、または異なる信号とするかを示す情報を含み、送信信号制御部は、複数の送信電気信号のうち、いずれかまたはすべてを同一信号するか、または異なる信号とするかを選定する送信信号選定部を含むことを特徴とする。
【００１７】
また、好ましい受信信号解析部は、複数の光受信部によって変換された複数の受信電気信号に基づいて、複数の受信電気信号をそのまま出力するか、または複数の受信電気信号の和を受信信号として出力するかを示す受信信号切替情報を生成し、受信信号制御部は、受信信号切替情報に基づいて、複数の受信電気信号をそのまま出力するか、または複数の受信電気信号の和を受信信号として出力する受信信号切替部と、信号点配置情報に基づいて、受信信号切替部から出力された複数の受信電気信号または受信信号から、複数の光送信部から送信された複数の光信号を識別する受信信号識別部とを含むことを特徴とする。
【００１８】
上記目的を達成するために、本発明の受信機は、送信機の複数の光送信部から送信される複数の光信号を受信する受信機であって、送信機の複数の光送信部から送信される複数の光信号を受信し、複数の光信号を受信電気信号にそれぞれ変換する複数の光受信部と、複数の光受信部によって変換された複数の受信電気信号に基づいて、送信機の複数の光送信部から送信された光信号パターンに対応する複数の光受信部の受信レベルを示す信号点配置情報を生成する受信信号解析部と、信号点配置情報に基づいて、送信機の複数の光送信部から送信される複数の光信号を調整することを示すフィードバック信号を生成し、当該生成したフィードバック信号を送信するフィードバック送信部と、複数の受信電気信号の和を受信信号として、信号点配置情報に基づいて、受信信号から、送信機の複数の光送信部から送信された光信号パターンを識別する受信信号制御部とを備える。
【００１９】
上記目的を達成するために、本発明の受信方法は、送信機の複数の光送信部から送信される複数の光信号を複数の光受信部によって受信する受信機によって実行される受信方法であって、送信機の複数の光送信部から送信される複数の光信号を複数の光受信部で受信し、複数の光信号を受信電気信号にそれぞれ変換する光受信ステップと、光受信ステップにおいて変換された複数の受信電気信号に基づいて、送信機の複数の光送信部から送信された光信号パターンに対する複数の光受信部の受信レベルを示す信号点配置情報を生成する受信信号解析ステップと、信号点配置情報に基づいて、送信機の複数の光送信部から送信される複数の光信号を調整することを示すフィードバック信号を生成し、当該生成したフィードバック信号を送信するフィードバック送信ステップと、複数の受信電気信号の和を受信信号として、信号点配置情報に基づいて、受信信号から、送信機の複数の光送信部から送信された光信号パターンを識別する受信信号制御ステップとを含む。
【発明の効果】
【００２０】
本発明の光ワイヤレス通信装置によれば、複数の発光素子および複数の受光素子を用いた光ワイヤレス通信装置において、複数の受光素子が複数の発光素子から送信された光信号を混在した状態で受信した場合であっても、複数の受光素子では、それぞれの光信号を識別することによって、パラレル伝送で得られる高効率伝送を実現することができる。
【図面の簡単な説明】
【００２１】
【図１】本発明の一実施形態に係る光ワイヤレス通信装置１００を示す図
【図２】図１に示した送信機１０と受信機２０との伝送距離と、受信機２０における第１の光受信部２１０が受信する光信号の受信レベルとの関係を示す図
【図３】図２に示した送信機１０と受信機２０との伝送距離に応じた、第１の光信号Ｓ３１および第２の光信号Ｓ３２の伝送の様子を示す図
【図４】第１の光送信部１２０および第２の光送信部１３０が送信する光信号の情報フォーマット５００を示す図
【図５】第１の光送信部１２０および第２の光送信部１３０から送信される第１の光信号Ｓ３１および第２の光信号Ｓ３２の送信レベルを示す図
【図６Ａ】第１の光信号Ｓ３１および第２の光信号Ｓ３２が混在しない状態で、第１の光受信部２１０および第２の光受信部２２０が、それぞれ対応する第１の光信号Ｓ３１および第２の光信号Ｓ３２のみを受信する場合を示す図
【図６Ｂ】第１の光信号Ｓ３１および第２の光信号Ｓ３２が混在する状態で、第１の光受信部２１０および第２の光受信部２２０が、第１の光信号Ｓ３１および第２の光信号Ｓ３２の両方を受信する場合を示す図
【図７】受信信号解析部２４０が信号点配置情報Ｓ２７を生成する方法について示す図
【図８】第２の光信号Ｓ３２の送信レベルを３／４倍に調整した場合、受信信号解析部２４０が生成する信号点配置情報Ｓ２７を示す図
【図９】第２の光信号Ｓ３２の送信レベルを１／２倍に調整した場合、受信信号解析部２４０が生成する信号点配置情報Ｓ２７を示す図
【図１０】従来の光ワイヤレス通信装置９００を示す図
【図１１】第１の発光ユニット９０１および第２の発光ユニット９０２が送信するデータの情報フォーマット９５０を示す図
【発明を実施するための形態】
【００２２】
以下、本発明の一実施形態について、図面を参照しながら説明する。
図１は、本発明の一実施形態に係る光ワイヤレス通信装置１００を示す図である。図１において、光ワイヤレス通信装置１００は、送信機１０と受信機２０とから構成される。
【００２３】
送信機１０は、送信信号制御部１１０と、第１の光送信部１２０と、第２の光送信部１３０と、フィードバック受信部１４０とを備える。なお、送信信号制御部１１０は、送信信号選定部１１１と、送信信号強度調整部１１２とから構成される。
【００２４】
受信機２０は、第１の光受信部２１０と、第２の光受信部２２０と、受信信号制御部２３０と、受信信号解析部２４０と、フィードバック送信部２５０とを備える。なお、受信信号制御部２３０は、受信信号切替部２３１と、受信信号識別部２３２とから構成される。
【００２５】
送信機１０において、送信信号制御部１１０は、フィードバック受信部１４０によって生成された送信信号制御情報Ｓ１６に基づいて、送信データＳ１１から複数の送信電気信号を生成する。送信信号制御部１１０によって生成される複数の送信電気信号について、詳細な説明は後述する。
【００２６】
第１の光送信部１２０および第２の光送信部１３０は、送信信号制御部１１０によって生成される複数の送信電気信号を、それぞれ第１の光信号Ｓ３１および第２の光信号Ｓ３２に変換し、当該第１の光信号Ｓ３１および第２の光信号Ｓ３２を受信機２０に送信する。なお、第１の光送信部１２０および第２の光送信部１３０は、発光素子、その駆動回路、および送信する光信号の指向性を整えるレンズ等から構成される。
【００２７】
受信機２０において、第１の光受信部２１０および第２の光受信部２２０は、送信機１０から送信された第１の光信号Ｓ３１および第２の光信号Ｓ３２を受信し、当該第１の光信号Ｓ３１および第２の光信号Ｓ３２に基づいて、第１の受信電気信号Ｓ２１および第２の受信電気信号Ｓ２２を生成する。なお、第１の光受信部２１０および第２の光受信部２２０は、光信号を集光するレンズ、受光素子、および増幅回路等から構成される。
【００２８】
受信信号解析部２４０は、第１の光受信部２１０および第２の光受信部２２０によって生成された第１の受信電気信号Ｓ２１および第２の受信電気信号Ｓ２２に基づいて、受信信号切替情報Ｓ２６、信号点配置情報Ｓ２７、およびフィードバック情報Ｓ２８を生成する。受信信号切替情報Ｓ２６、信号点配置情報Ｓ２７、およびフィードバック情報Ｓ２８について、詳細な説明は後述する。
【００２９】
受信信号制御部２３０は、受信信号解析部２４０によって生成された受信信号切替情報Ｓ２６、および信号点配置情報Ｓ２７に基づいて、第１の受信電気信号Ｓ２１および第２の受信電気信号Ｓ２２から第１の受信データＳ２４および第２の受信データＳ２５を生成する。
【００３０】
フィードバック送信部２５０は、受信信号解析部２４０によって生成されたフィードバック情報Ｓ２８に基づいて、フィードバック信号Ｓ３３を生成し、当該フィードバック信号Ｓ３３を送信機１０に送信する。そして、送信機１０において、フィードバック受信部１４０は、受信機２０から送信されたフィードバック信号Ｓ３３に基づいて、送信信号制御情報Ｓ１６を生成する。
【００３１】
また、ここでは、送信機１０と受信機２０とが正対し、第１の光送信部１２０と第１の光受信部２１０、および第２の光送信部１３０と第２の光受信部２２０とが正対しているものとする。
【００３２】
次に、光ワイヤレス通信装置１００の動作について説明する。図２は、図１に示した送信機１０と受信機２０との伝送距離と、受信機２０における第１の光受信部２１０が受信する光信号の受信レベルとの関係を示す図である。第１の光受信部２１０は、第１の光信号Ｓ３１および第２の光信号Ｓ３２を受信するが、図２に示すように、送信機１０と受信機２０との伝送距離に応じて、受信する第１の光信号Ｓ３１および第２の光信号Ｓ３２の受信レベルが異なる。図３は、図２に示した送信機１０と受信機２０との伝送距離に応じた、第１の光信号Ｓ３１および第２の光信号Ｓ３２の伝送の様子を示す図である。
【００３３】
図２および図３において、（Ａ）短距離の場合、第１の光受信部２１０は、対応する第１の光送信部１２０から送信された第１の光信号Ｓ３１の受信レベルを検知し、第２の光送信部１３０から送信された第２の光信号Ｓ３２の受信レベルは検知しないか、または信号識別に影響のない程度の僅かな受信レベルを検知する。つまり、受信機２０は、第１の光受信部２１０および第２の光受信部２２０によって、それぞれ第１の光信号Ｓ３１および第２の光信号Ｓ３２を別々に正確に識別できる。
【００３４】
（Ｂ）中距離の場合、第１の光受信部２１０は、対応する第１の光送信部１２０から送信された第１の光信号Ｓ３１の受信レベルを検知し、さらに第２の光送信部１３０から送信された第２の光信号Ｓ３２の受信レベルも検知する。つまり、第１の光受信部２１０が検知する受信レベルは、第１の光信号Ｓ３１と第２の光信号Ｓ３２とが混在した状態である。したがって、受信機２０は、第１の光受信部２１０および第２の光受信部２２０が検知するそれぞれの受信レベルに基づいて、第１の光信号Ｓ３１および第２の光信号Ｓ３２を識別する必要がある。
【００３５】
（Ｃ）遠距離の場合、第１の光受信部２１０は、対応する第１の光送信部１２０から送信された第１の光信号Ｓ３１の受信レベルを検知し、さらに第２の光送信部１３０から送信された第２の光信号Ｓ３２の受信レベルも検知する。つまり、第１の光受信部２１０が検知する受信レベルは、第１の光信号Ｓ３１と第２の光信号Ｓ３２とが混在した状態である。しかし、この場合、（Ｂ）中距離の場合とは異なって、第１の光受信部２１０が検知する受信レベルそのものが小さい。したがって、受信機２０は、第１の光受信部２１０および第２の光受信部２２０が検知するそれぞれの受信レベルに基づいて、第１の光信号Ｓ３１および第２の光信号Ｓ３２を識別することができない。
【００３６】
このように、第１の光受信部２１０および第２の光受信部２２０が受信する光信号の受信レベルは、送信機１０と受信機２０との位置関係に依存する。さらに、具体的には、第１の光受信部２１０および第２の光受信部２２０で受信される光信号に着目して整理すると、以下の２つの場合がある。
（１）第１の光送信部１２０および第２の光送信部１３０から送信される第１の光信号Ｓ３１および第２の光信号Ｓ３２が混在しない状態で、第１の光受信部２１０および第２の光受信部２２０が、それぞれ対応する第１の光信号Ｓ３１および第２の光信号Ｓ３２のみを受信する場合
（２）第１の光送信部１２０および第２の光送信部１３０から送信される第１の光信号Ｓ３１および第２の光信号Ｓ３２が混在した状態で、第１の光受信部２１０および第２の光受信部２２０が複数の光信号を受信する場合
【００３７】
以下に、送信機１０から送信された光信号を受信機２０が識別する方法について、詳しく説明する。
【００３８】
図４は、第１の光送信部１２０および第２の光送信部１３０が送信する光信号の情報フォーマット５００を示す図である。図４において、情報フォーマット５００は、ヘッダ部５０１と、データ部５０２とから構成されている。図４（１）に示すように、第１の光送信部１２０から送信される第１の光信号Ｓ３１には、ヘッダ部５０１に第１の光送信部１２０からの送信であることを示す第１のヘッダ情報が格納され、データ部５０２に送信すべきデータである第１の送信情報が格納されている。図４（２）に示すように、第２の光送信部１３０から送信される第２の光信号Ｓ３２には、ヘッダ部５０１に第２の光送信部１３０からの送信であることを示す第２のヘッダ情報が格納され、データ部５０２に送信すべきデータである第２の送信情報が格納されている。
【００３９】
図５は、第１の光送信部１２０および第２の光送信部１３０から送信される第１の光信号Ｓ３１および第２の光信号Ｓ３２の送信レベルを示す図である。図５において、第１の光信号Ｓ３１および第２の光信号Ｓ３２のヘッダ期間において、送信タイミングを時分割し（ｔ１、ｔ２、・・・、ｔｎ−１、ｔｎ）、第１の光送信部１２０および第２の光送信部１３０に割り当てる。具体的には、１ｂｉｔ毎に、第１の光送信部１２０および第２の光送信部１３０を交互に割り当てている。図５（１）に示すように、第１の光送信部１２０は、ｔ１、ｔ３、・・・、ｔｎ−１において、所定の送信レベルを有する第１の光信号Ｓ３１を送信する。図５（２）に示すように、第２の光送信部１３０は、ｔ２、ｔ４、・・・、ｔｎにおいて、所定の送信レベルを有する第２の光信号Ｓ３２を送信する。
【００４０】
図６Ａは、第１の光信号Ｓ３１および第２の光信号Ｓ３２が混在しない状態で、第１の光受信部２１０および第２の光受信部２２０が、それぞれ対応する第１の光信号Ｓ３１および第２の光信号Ｓ３２のみを受信する場合を示す図である。つまり、図２および図３で示した（Ａ）短距離の場合である。第１の光受信部２１０は、図６Ａ（１）に示すように、ｔ１、ｔ３、・・・、ｔｎ−１において、所定の受信レベルを有する光信号を受信する。第２の光受信部２２０は、図６Ａ（２）に示すように、ｔ２、ｔ４、・・・、ｔｎにおいて、所定の受信レベルを有する光信号を受信する。そして、第１の光受信部２１０は、受信した光信号を第１の受信電気信号Ｓ２１に変換し、第２の光受信部２２０は、受信した光信号を第２の受信電気信号Ｓ２２に変換する。
【００４１】
次に、受信信号解析部２４０は、第１の受信電気信号Ｓ２１および第２の受信電気信号Ｓ２２に基づいて、受信信号切替情報Ｓ２６、および信号点配置情報Ｓ２７を生成する。ここで、受信信号切替情報Ｓ２６とは、第１の受信電気信号Ｓ２１および第２の受信電気信号Ｓ２２のうち、いずれか一方を選択して受信信号Ｓ２３とするか、または第１の受信電気信号Ｓ２１および第２の受信電気信号Ｓ２２の和を受信信号Ｓ２３（多値信号）とするかを示す情報である。信号点配置情報Ｓ２７とは、第１の光送信部１２０から送信される第１の光信号Ｓ３１および第２の光送信部１３０から送信される第２の光信号Ｓ３２に対して、第１の光受信部２１０および第２の光受信部２２０が受信する光信号の受信レベルを示す情報である。具体的には、信号点配置情報Ｓ２７は、（１）第１の光信号Ｓ３１および第２の光信号Ｓ３２が送信されていない場合、（２）第１の光信号Ｓ３１のみが送信されている場合、（３）第２の光信号Ｓ３２のみが送信されている場合、（４）第１の光信号Ｓ３１および第２の光信号Ｓ３２が送信されている場合における、第１の光受信部２１０および第２の光受信部２２０が受信する光信号の受信レベルを示す情報である。
【００４２】
この場合、受信信号解析部２４０は、第１の受信電気信号Ｓ２１および第２の受信電気信号Ｓ２２に基づいて、第１の光信号Ｓ３１および第２の光信号Ｓ３２が混在しない状態で、第１の光受信部２１０および第２の光受信部２２０が、それぞれ対応する第１の光信号Ｓ３１および第２の光信号Ｓ３２のみを受信していると判断する。
【００４３】
これにより、受信信号解析部２４０は、当該判断した結果に基づいて、受信信号切替情報Ｓ２６、および信号点配置情報Ｓ２７を生成する。ここでは、受信信号切替情報Ｓ２６は、第１の受信電気信号Ｓ２１および第２の受信電気信号Ｓ２２のうち、いずれか一方を選択して受信信号Ｓ２３とすることを示す情報である。信号点配置情報Ｓ２７は、第１の光受信部２１０および第２の光受信部２２０が、それぞれ対応する第１の光信号Ｓ３１および第２の光信号Ｓ３２のみを受信していることを示す情報である。
【００４４】
そして、受信信号制御部２３０は、受信信号解析部２４０で生成された受信信号切替情報Ｓ２６および信号点配置情報Ｓ２７に基づいて、第１の受信電気信号Ｓ２１および第２の受信電気信号Ｓ２２から第１の受信データＳ２４および第２の受信データＳ２５を生成する。
【００４５】
詳細には、受信信号制御部２３０は、受信信号切替部２３１と、受信信号識別部２３２とから構成される。受信信号切替部２３１は、受信信号解析部２４０で生成された信号切替制御信号Ｓ２６に基づいて、入力される第１の受信電気信号Ｓ２１および第２の受信電気信号Ｓ２２のいずれか一方を受信信号Ｓ２３として出力する。受信信号識別部２３２は、受信信号解析部２４０で生成された信号点配置情報Ｓ２７に基づいて、受信信号Ｓ２３から第１の受信データＳ２４および第２の受信データＳ２５を生成する。ここでは、第１の光信号Ｓ３１および第２の光信号Ｓ３２が混在しない状態で、第１の光受信部２１０および第２の光受信部２２０が、それぞれ対応する第１の光信号Ｓ３１および第２の光信号Ｓ３２のみを受信しているため、それぞれ第１の受信電気信号Ｓ２１および第２の受信電気信号Ｓ２２を第１の受信データＳ２４および第２の受信データＳ２５として出力することになる。
【００４６】
また、受信信号解析部２４０は、第１の受信電気信号Ｓ２１および第２の受信電気信号Ｓ２２に基づいて、フィードバック情報Ｓ２８を生成する。ここで、フィードバック情報Ｓ２８とは、送信機１０から送信される光信号を制御するための情報である。この場合、受信機２０は、第１の光信号Ｓ３１および第２の光信号Ｓ３２が混在しない状態で、第１の光信号Ｓ３１および第２の光信号Ｓ３２を受信し、識別できているため、フィードバック情報Ｓ２８は、それぞれ第１の光信号Ｓ３１および第２の光信号Ｓ３２の信号強度を調整する必要がないことを示す情報とする。
【００４７】
フィードバック送信部２５０は、受信信号解析部２４０で生成されたフィードバック情報Ｓ２８に基づいて、フィードバック信号Ｓ３３を生成し、送信機１０へ送信する。
【００４８】
なお、図５に示したようにヘッダ期間経過後、送信機１０から送信情報が送信されるが、フィードバック送信部２５０は、送信機１０からの送信情報の送信が開始されるまでに、フィードバック信号Ｓ３３を送信機１０に送信する。ただし、フィードバック信号Ｓ３３が第１の光信号Ｓ３１または第２の光信号Ｓ３２にクロストークとして混入する場合など、送信機１０と受信機２０との間で全二重伝送ができない場合は、ヘッダ期間の経過後に、フィードバック信号を送受信する期間を設ける。
【００４９】
そして、送信機１０において、フィードバック受信部１４０は、フィードバック送信部２５０から送信されたフィードバック信号Ｓ３３を受信し、当該受信したフィードバック信号Ｓ３３に基づいて、送信信号制御情報Ｓ１６を生成する。この場合、送信信号制御情報Ｓ１６は、送信信号制御部１１０が生成する複数の送信電気信号の信号強度を調整する必要がないことを示す情報である。
【００５０】
なお、上述したように、送信信号制御部１１０が生成する複数の送信電気信号の信号強度を調整する必要がない場合は、フィードバック信号Ｓ３３を送信しないことによって、そのままの信号強度を維持しても構わない。
【００５１】
このように、図２および図３で示した（Ａ）短距離の場合は、第１の光信号Ｓ３１および第２の光信号Ｓ３２が混在しない状態で、第１の光受信部２１０および第２の光受信部２２０が、それぞれ対応する第１の光信号Ｓ３１および第２の光信号Ｓ３２のみを受信している。したがって、受信機２０では、それぞれ第１の光信号Ｓ３１および第２の光信号Ｓ３２を識別することができ、パラレル伝送で得られる高効率伝送を実現している。
【００５２】
一方、図６Ｂは、第１の光信号Ｓ３１および第２の光信号Ｓ３２が混在する状態で、第１の光受信部２１０および第２の光受信部２２０が、第１の光信号Ｓ３１および第２の光信号Ｓ３２の両方を受信する場合を示す図である。つまり、図２および図３で示した（Ｂ）中距離の場合である。
【００５３】
第１の光受信部２１０は、図６Ｂ（１）に示すように、ｔ１、ｔ３、・・・、ｔｎ−１において、所定の受信レベル（α）を有する光信号を受信する。そして、第２の光受信部２２０は、図６Ｂ（２）に示すように、ｔ１、ｔ３、・・・、ｔｎ−１において、所定の受信レベル（β）を有する光信号を受信する（α＞β）。つまり、第１の光受信部２１０および第２の光受信部２２０は、図５（１）に示す第１の光信号Ｓ３１を受信している。
【００５４】
また、第１の光受信部２１０は、図６Ｂ（１）に示すように、ｔ２、ｔ４、・・・、ｔｎにおいて、所定の受信レベル（β）を有する光信号を受信する。そして、第２の光受信部２２０は、図６Ｂ（２）に示すように、ｔ２、ｔ４、・・・、ｔｎにおいて、所定の受信レベル（α）を有する光信号を受信する（α＞β）。つまり、第１の光受信部２１０および第２の光受信部２２０は、図５（２）に示す第２の光信号Ｓ３２を受信している。
【００５５】
そして、第１の光受信部２１０は、受信した光信号を第１の受信電気信号Ｓ２１に変換し、第２の光受信部２２０は、受信した光信号を第２の受信電気信号Ｓ２２に変換する。次に、受信信号解析部２４０は、第１の受信電気信号Ｓ２１および第２の受信電気信号Ｓ２２に基づいて、受信信号切替情報Ｓ２６、および信号点配置情報Ｓ２７を生成する。
【００５６】
図７は、受信信号解析部２４０が信号点配置情報Ｓ２７を生成する方法について示す図である。第１の光受信部２１０は、図６Ｂ（１）に示される時間「ｔ１」中に、第１の光送信部１２０から送信された第１の光信号Ｓ３１を受信し（受信レベル＝α）、第１の受信電気信号Ｓ２１として受信信号解析部２４０に通知する。同様に、第２の光受信部２２０は、時間「ｔ１」中に、第１の光送信部１２０から送信された第１の光信号Ｓ３１を受信し（受信レベル＝β）、第２の受信電気信号Ｓ２２として受信信号解析部２４０に通知する。そして、第１の光送信部１２０が第１の光信号Ｓ３１を送信する場合、受信信号解析部２４０は、第１の光受信部２１０が受信する光信号の受信レベル１、および第２の光受信部２２０が受信する光信号の受信レベル２を、信号点配置情報Ｓ２７として生成する。つまり、受信信号解析部２４０は、図７（１）において、（光信号Ｓ３１，光信号Ｓ３２）＝（１，０）で、（受信レベル１，受信レベル２）＝（α，β）を生成している（＃３）。
【００５７】
同様に、第１の光受信部２１０は、時間「ｔ２」中に、第２の光送信部１３０から送信された第２の光信号Ｓ３２を受信し（受信レベル＝β）、第１の受信電気信号Ｓ２１として受信信号解析部２４０に通知する。第２の光受信部２２０は、時間「ｔ２」中に、第２の光送信部１３０から送信された第２の光信号Ｓ３２を受信し（受信レベル＝α）、第２の受信電気信号Ｓ２２として受信信号解析部２４０に通知する。つまり、受信信号解析部２４０は、図７（１）において、（光信号Ｓ３１，光信号Ｓ３２）＝（０，１）で、（受信レベル１，受信レベル２）＝（β，α）を生成している（＃２）。
【００５８】
これは、送信機１０と受信機２０とが正対しており、第１の光送信部１２０と第１の光受信部２１０、および第２の光送信部１３０と第２の光受信部２２０との位置が正対しており、位置ずれがほとんどないためである。第２の光送信部１３０と第１の光受信部２１０との距離と、第１の光送信部１２０と第２の光受信部２２０との距離とがほぼ同一であって、第２の光送信部１３０から送信される第２の光信号Ｓ３２が第１の光受信部２１０に入射する角度と、第１の光送信部１２０から送信される第１の光信号Ｓ３１が第２の光受信部２２０に入射する角度とがほぼ同一であるため、光信号を受信する受信レベルがほぼ同一となるためである。
【００５９】
さらに、受信信号解析部２４０は、（光信号Ｓ３１，光信号Ｓ３２）＝（１，０）、および（光信号Ｓ３１，光信号Ｓ３２）＝（０，１）の情報に基づいて、（光信号Ｓ３１，光信号Ｓ３２）＝（１，１）で、（受信レベル１，受信レベル２）＝（α＋β，α＋β）を生成する（＃４）。これは、（光信号Ｓ３１，光信号Ｓ３２）＝（１，０）、および（光信号Ｓ３１，光信号Ｓ３２）＝（０，１）の情報を加算することで得られる。
【００６０】
最後に、受信信号解析部２４０は、（光信号Ｓ３１，光信号Ｓ３２）＝（０，０）で、（受信レベル１，受信レベル２）＝（０，０）を生成する（＃１）。
【００６１】
このように、受信信号解析部２４０は、第１の光信号Ｓ３１および第２の光信号Ｓ３２のヘッダ期間において、第１の光受信部２１０および第２の光受信部２２０が受信する光信号の受信レベルの強度に基づいて、第１の受信電気信号Ｓ２１および第２の受信電気信号Ｓ２２に含まれる情報を識別するための信号点配置情報Ｓ２７（フィードバック前）を生成する。つまり、信号点配置情報Ｓ２７は、第１の光送信部１２０から送信される第１の光信号Ｓ３１および第２の光送信部１３０から送信される第２の光信号Ｓ３２の光信号パターンに対応する、第１の光受信部２１０および第２の光受信部２２０の受信レベルを示す情報です。
【００６２】
ここで、αおよびβの大きさについて検討する。一般的に、光受信部に用いられるレンズは、光信号が当該光受信部に入射する角度が小さいほど利得が大きく、角度が大きいほど利得が小さい性質を有する。
【００６３】
第１の光受信部２１０は、第１の光受信部２１０と正対する第１の光送信部１２０から送信される第１の光信号Ｓ３１を受信する場合、その受信レベルαは、第１の光送信部１２０から送信される第１の光信号Ｓ３１の強度を１とすると、α≦１となる。
【００６４】
一方、第１の光受信部２１０は、第１の光受信部２１０と正対しない第２の光送信部１３０から送信される第２の光信号Ｓ３２を受信する場合、その受信レベルβは、第２の光送信部１３０から送信される第２の光信号Ｓ３２の強度を１とすると、β＜１となる。さらに、α＞βの関係が常に成立する。これは、第２の光信号Ｓ３２が第１の光受信部２１０に入射する角度が、第１の光信号Ｓ３１が第１の光受信部２１０に入射する角度よりも大きいためである。
【００６５】
例えば、α＞＞βの場合、図７（１）における受信１の各信号点間距離のうち、例えば（送信光１，送信光２）＝（０，０）と（０，１）間、（送信光１，送信光２）＝（１，０）と（１，１）間のように隣接する信号点間の距離が狭く、伝送路等で発生する雑音の影響を受け、各信号点を正しく識別できない場合が発生する。また、α＞βの場合であっても、（送信光１，送信光２）＝（０，１）と（１，０）間の信号点間距離が狭くなることが考えられる。
【００６６】
さらに、光ワイヤレス通信装置１００がダイバーシティを実施し、第１の受信電気信号Ｓ２１と第２の受信電気信号Ｓ２２とを加算して、識別する場合もある。この場合、図７（１）に示すように、信号点配置情報Ｓ２７は、図７（１）において、（光信号Ｓ３１，光信号Ｓ３２）＝（０，１）および（光信号Ｓ３１，光信号Ｓ３２）＝（１，０）で、（受信レベル１＋受信レベル２）＝（α＋β）である（＃２、＃３）。つまり、第１の受信電気信号Ｓ２１および第２の受信電気信号Ｓ２２の和を受信信号Ｓ２３（多値信号）とすると、当該受信信号Ｓ２３（多値信号）から、送信機１０から送信された第１の光信号Ｓ３１および第２の光信号Ｓ３２を識別することができない。
【００６７】
そこで、受信信号解析部２４０は、フィードバック情報Ｓ２８を生成する。ここでは、フィードバック情報Ｓ２８は、第２の光信号Ｓ３２の信号強度をγ倍（γ≦１）にすることを示す情報であるとする。
【００６８】
フィードバック送信部２５０は、受信信号解析部２４０で生成されたフィードバック情報Ｓ２８に基づいて、フィードバック信号Ｓ３３を生成し、送信機１０へ送信する。
【００６９】
そして、送信機１０において、フィードバック受信部１４０は、フィードバック送信部２５０から送信されたフィードバック信号Ｓ３３を受信し、当該受信したフィードバック信号Ｓ３３に基づいて、送信信号制御情報Ｓ１６を生成する。
【００７０】
送信信号制御部１１０において、送信信号選定部１１１は、送信データＳ１１から、第１の送信電気信号Ｓ１２および第２の送信電気信号Ｓ１３を生成する。ここで、第１の送信電気信号Ｓ１２と第２の送信電気信号Ｓ１３とは異なる信号である。第１の送信電気信号Ｓ１２と第２の送信電気信号Ｓ１３とについて、同一の信号とするか、または異なる信号とするかは、送信信号制御情報Ｓ１６に応じて判断される。この場合、第１の送信電気信号Ｓ１２と第２の送信電気信号Ｓ１３とは、異なる信号である。
【００７１】
次に、送信信号強度調整部１１２には、第１の送信電気信号Ｓ１２および第２の送信電気信号Ｓ１３が入力される。送信信号強度調整部１１２は、フィードバック受信部１４０で生成された送信信号制御情報Ｓ１６に基づいて、第１の送信電気信号Ｓ１２および第２の送信電気信号Ｓ１３について、いずれか一方、または両方の信号強度を調整し、第３の送信電気信号Ｓ１４および第４の送信電気信号Ｓ１５として出力する。ここでは、送信信号強度調整部１１２は、第２の送信電気信号Ｓ１３の信号強度をγ倍に調整した第４の送信電気信号Ｓ１５を出力する。
【００７２】
そして、送信信号強度調整部１１２で信号強度が調整された第３の送信電気信号Ｓ１４および第４の送信電気信号Ｓ１５が、第１の光送信部１２０および第２の光送信部１３０で、それぞれ第１の光信号Ｓ３１および第２の光信号Ｓ３２に変換され、受信機２０に送信される。
【００７３】
このように、第２の光送信部１３０から送信される第２の光信号Ｓ３２の信号強度をγ倍に調整した後、受信機２０において、第１の光受信部２１０および第２の光受信部２２０が第１の光信号Ｓ３１および第２の光信号Ｓ３２を受信し、さらに、受信信号解析部２４０が信号点配置情報Ｓ２７を更新する。
【００７４】
図７（２）は、更新された信号点配置情報Ｓ２７を示す図である。図７（２）に示した信号点配置情報Ｓ２７（フィードバック後）は、図７（１）に示した信号点配置情報Ｓ２７（フィードバック前）に比べて、γ≦１であるため、信号点間距離が狭くなる。具体的には、（光信号Ｓ３１，光信号Ｓ３２）＝（０，０）と（０，１）との信号点間距離、および（１，０）と（１，１）との信号点間距離である。
【００７５】
一方、図７（２）に示した信号点配置情報Ｓ２７（フィードバック後）では、第１の受信電気信号Ｓ２１および第２の受信電気信号Ｓ２２の和（受信レベル１＋受信レベル２）から、（光信号Ｓ３１，光信号Ｓ３２）＝（０，１）および（光信号Ｓ３１，光信号Ｓ３２）＝（１，０）の識別が可能となっている。
【００７６】
第１の受信電気信号Ｓ２１および第２の受信電気信号Ｓ２２の和（受信レベル１＋受信レベル２）において、フィードバック後の各信号点間距離がフィードバック前の各信号点間距離に比べて広くなるγの条件を以下に示す。
（１）γ＞α／（α＋β）
（２）γ＞β／（α＋β）
（３）γ＜１−｜α−β｜／（α＋β）
つまり、γが上記の条件を満たす場合、フィードバック後の各信号点間距離をフィードバック前の各信号点間距離に比べて拡げることができ、伝送路などで発生する雑音の影響があっても、各信号点を正しく識別することが可能となる。
【００７７】
したがって、受信信号解析部２４０は、第１の受信電気信号Ｓ２１および第２の受信電気信号Ｓ２２の和を受信信号Ｓ２３（多値信号）とすることを示す受信信号切替情報Ｓ２６を生成する。
【００７８】
受信信号切替部２３１は、受信信号解析部２４０で生成された受信信号切替情報Ｓ２６に基づいて、第１の受信電気信号Ｓ２１および第２の受信電気信号Ｓ２２の和を受信信号Ｓ２３（多値信号）として出力する。
【００７９】
受信信号識別部２３２は、受信信号解析部２４０で生成された信号点配置情報Ｓ２７（フィードバック後）に基づいて、受信信号Ｓ２３を識別し、第１の受信データＳ２４および第２の受信データＳ２５を生成する。
【００８０】
具体的に、γ＝３／４とした場合について説明する。図８は、第２の光信号Ｓ３２の送信レベルを３／４倍に調整した場合、受信信号解析部２４０が生成する信号点配置情報Ｓ２７を示す図である。図８において、第１の光受信部２１０について、第１の光受信部２１０に正対する第１の光送信部１２０から送信された第１の光信号Ｓ３１を受信する受信レベルを「４０」とし、第１の光受信部２１０に正対しない第２の光送信部１３０から送信された第２の光信号Ｓ３２を受信する受信レベルを、１／１０（「４」）とする。同様に、第２の光受信部２２０について、第２の光信号Ｓ３２を受信する受信レベルを「４０」とし、第１の光信号Ｓ３１を受信する受信レベルを１／１０（「４」）とする。
【００８１】
図８（１）に示すように、例えば、（送信光１，送信光２）＝（０，０）と（０，１）間、および（送信光１，送信光２）＝（１，０）と（１，１）間では、隣接する信号点間の距離が狭い。さらに、（光信号Ｓ３１，光信号Ｓ３２）＝（０，１）および（１，０）では、（受信レベル１＋受信レベル２）が同一となっている。
【００８２】
そこで、受信信号解析部２４０は、第２の光信号Ｓ３２の信号強度を３／４倍にすることを示すフィードバック情報Ｓ２８を生成する。図８（２）に示すように、各信号点間距離は、フィードバック前の信号点間距離よりも狭くなっている。しかし、図８（３）に示すように、（受信レベル１＋受信レベル２）について、（光信号Ｓ３１，光信号Ｓ３２）＝（０，１）および（１，０）においても識別可能となっている。さらに、各信号点間距離についても、所定の距離がある。
【００８３】
このように、第２の光信号Ｓ３２の送信レベルを３／４倍に調整すれば、信号点間距離が拡がり、識別誤りを低減することができる。
【００８４】
別の具体例として、γ＝１／２とした場合について説明する。図９は、第２の光信号Ｓ３２の送信レベルを１／２倍に調整した場合、受信信号解析部２４０が生成する信号点配置情報Ｓ２７を示す図である。図９においても図８と同様に、第１の光受信部２１０について、第１の光信号Ｓ３１を受信する受信レベルを「４０」とし、第２の光信号Ｓ３２を受信する受信レベルを、１／１０（「４」）とする。第２の光受信部２２０について、第２の光信号Ｓ３２を受信する受信レベルを「４０」とし、第１の光信号Ｓ３１を受信する受信レベルを１／１０（「４」）とする。
【００８５】
そして、受信信号解析部２４０は、第２の光信号Ｓ３２の信号強度を１／２倍にすることを示すフィードバック情報Ｓ２８を生成し、第２の光信号Ｓ３２の送信レベルを１／２倍に調整する。これによって、図９（３）に示すように、（受信レベル１＋受信レベル２）については、各信号点間距離が均等になり、さらに、識別誤りを低減することができる。
【００８６】
次に、図２および図３で示した（Ｃ）遠距離の場合について説明する。（Ｃ）遠距離の場合、（Ｂ）中距離の場合とは異なって、第１の光受信部２１０および第２の光受信部２２０が検知する受信レベルそのものが小さい。
【００８７】
α＞βの関係は成立するものの、α，β＜＜１であるため、光ワイヤレス通信装置１００がダイバーシティを実施したとしても、図８および図９で示したような（受信レベル１＋受信レベル２）について、所定の信号点間距離が得られない。
【００８８】
したがって、（Ｃ）遠距離の場合には、受信信号解析部２４０は、第１の光信号Ｓ３１と第２の光信号Ｓ３２とを最大レベル、かつ同一の信号にすることを示すフィードバック情報Ｓ２８を生成する。
【００８９】
そして、フィードバック送信部２５０は、受信信号解析部２４０で生成されたフィードバック情報Ｓ２８に基づいて、フィードバック信号Ｓ３３を生成し、送信機１０へ送信する。
【００９０】
送信機１０において、フィードバック受信部１４０は、フィードバック送信部２５０から送信されたフィードバック信号Ｓ３３を受信し、当該受信したフィードバック信号Ｓ３３に基づいて、送信信号制御情報Ｓ１６を生成する。
【００９１】
送信信号制御部１１０において、送信信号選定部１１１は、送信データＳ１１から、同一の信号である第１の送信電気信号Ｓ１２および第２の送信電気信号Ｓ１３を生成する。そして、送信信号強度調整部１１２は、フィードバック受信部１４０で生成された送信信号制御情報Ｓ１６に基づいて、第１の送信電気信号Ｓ１２および第２の送信電気信号Ｓ１３について、信号強度を最大レベルに調整し、第３の送信電気信号Ｓ１４および第４の送信電気信号Ｓ１５として出力する。
【００９２】
そして、送信信号強度調整部１１２で信号強度が最大レベルに調整された同一の信号である第３の送信電気信号Ｓ１４および第４の送信電気信号Ｓ１５が、第１の光送信部１２０および第２の光送信部１３０で、それぞれ第１の光信号Ｓ３１および第２の光信号Ｓ３２に変換され、受信機２０に送信される。
【００９３】
これにより、第１の光送信部１２０および第２の光送信部１３０から異なる光信号を送信していた場合に比べて、受信機２０において、最大レベル、かつ同一の光信号を受信するため、受信信号の識別が可能となる。つまり、より長距離まで伝送距離を確保することができる。
【００９４】
以上のように、本発明の一実施形態に係る光ワイヤレス通信装置によれば、複数の受光素子が複数の発光素子から送信された光信号を混在した状態で受信した場合であっても、複数の発光素子から送信される光信号の強度を調整する情報をフィードバックすることによって、ダイバーシティを実施して得られる新たな情報に基づいて信号識別点を設定するため、それぞれ受信した光信号を識別することができる。これにより、受信機では、受信した光信号を正確に復号できる。つまり、本発明の一実施形態に係る光ワイヤレス通信装置によれば、パラレル伝送で得られる高効率伝送を実現することができる。
【００９５】
また、本発明の一実施形態に係る光ワイヤレス通信装置によれば、受信機が検知する光信号の受信レベルが小さいため、受信機が受信した光信号を識別することができない場合であっても、送信機から送信される複数の光信号の強度を最大レベルにし、かつ同一信号にする情報をフィードバックすることによって、より長距離であっても伝送を実現することができる。
【００９６】
なお、本実施形態では、受信機２０は、送信機１０に一度フィードバック信号Ｓ３３を送信し、信号点配置情報Ｓ２７を１回のみ更新していたが、これに限定されるわけではない。例えば、更新後の信号点配置情報Ｓ２７において、新たに得られた各信号点間距離が以前の信号点間距離より狭い場合は、受信機２０は、送信機１０に再度フィードバック信号Ｓ３３を送信し、さらに信号点配置情報Ｓ２７を更新しても構わない。さらには、好ましい信号点間距離を得るまで、当該処理を繰り返しても構わない。
【００９７】
なお、送信機１０と受信機２０との伝送距離が小さく、かつ位置ずれがある場合、例えば、第１の光受信部２１０において、第１の光送信部１２０および第２の光送信部１３０から送信された第１の光信号Ｓ３１および第２の光信号Ｓ３２の双方を受信する。そして、第２の光受信部２２０では、第２の光送信部１３０から送信された第２の光信号Ｓ３２のみを受信することがある。つまり、図２および図３で示した（Ａ）短距離であるが、第１の光信号Ｓ３１と第２の光信号Ｓ３２とが混在した状態の場合である。このような場合であっても、本発明の一実施形態で示したように、複数の発光素子から送信される光信号の強度を調整する情報をフィードバックすることによって、受信機では、それぞれ送信された光信号を識別することができることは言うまでもない。
【００９８】
なお、本実施形態では、第１の光信号Ｓ３１および第２の光信号Ｓ３２のヘッダを時分割して、当該光信号の受信レベルに基づいて信号点配置を算出しているが、信号点配置の算出方法はこれに限定されるわけではない。例えば、第１の光送信部１２０には周波数ｆ１を有する正弦波信号を、第２の光送信部１３０には周波数ｆ２を有する正弦波信号を同じ強度で同時にそれぞれ入力する。そして、受信信号解析部２４０は、周波数ｆ１近傍の信号を通過させるフィルタ（例えば、中心周波数がｆ１であるバンドパスフィルタ）と、周波数ｆ２近傍の信号を通過させるフィルタとを備える。それぞれのフィルタを通過した信号の強度を検出することによって、上述したようにヘッダを時分割する算出方法を用いることなく、信号点配置を算出することができる。これにより、信号点配置を算出する時間を削減することができる。また、第１の光送信部１２０には符号１を割り当てた電気信号を、第２の光送信部１３０には符号２を割り当てた電気信号をそれぞれ入力する。そして、受信信号解析部２４０において、逆拡散を行い、それぞれの受信電気信号の強度を算出することによって、信号点配置を算出しても構わない。
【産業上の利用可能性】
【００９９】
本発明の光ワイヤレス通信装置は、高速伝送を実現できる赤外線通信装置等として有用である。また、照明光等の可視光源を用いた可視光通信等の用途にも応用できる。
【符号の説明】
【０１００】
１００、９００    光ワイヤレス通信装置
１０    送信機
２０    受信機
１１０    送信信号制御部
１１１    送信信号選定部
１１２    送信信号強度調整部
１２０、１３０    光送信部
１４０    フィードバック受信部
２１０、２２０    光受信部
２３０    受信信号制御部
２３１    受信信号切替部
２３２    受信信号識別部
２４０    受信信号解析部
２５０    フィードバック送信部
５００、９５０    情報フォーマット
５０１、９５１    ヘッダ部
５０２    データ部
９０１、９０２    発光ユニット（光送信器）
９０３、９０４    情報端末
９０５、９０６    受光部
９５２    共通情報部
９５３    固有情報部
９５４    誤り検出部
Ｓ１１    送信データ
Ｓ１２〜Ｓ１５    送信電気信号
Ｓ１６    送信信号制御情報
Ｓ２１、Ｓ２２    受信電気信号
Ｓ２３    受信信号
Ｓ２４、Ｓ２５    受信データ
Ｓ２６    受信信号切替情報
Ｓ２７    信号点配置情報
Ｓ２８    フィードバック情報
Ｓ３１、Ｓ３２    光信号
Ｓ３３    フィードバック信号
【図１】
2011135206.tif 000003
【図２】
2011135206.tif 000004
【図３】
2011135206.tif 000005
【図４】
2011135206.tif 000006
【図５】
2011135206.tif 000007
【図６Ａ】
2011135206.tif 000008
【図６Ｂ】
2011135206.tif 000009
【図７】
2011135206.tif 000010
【図８】
2011135206.tif 000011
【図９】
2011135206.tif 000012
【図１０】
2011135206.tif 000013
【図１１】
2011135206.tif 000014